【手続補正書】
【提出日】平成18年11月22日(2006.11.22)
【手続補正１】
【補正対象書類名】明細書
【補正対象項目名】特許請求の範囲
【補正方法】変更
【補正の内容】
【特許請求の範囲】
【請求項１】  本質的に以下の式からなるペプチドに対して少なくとも９０％同一である、生物学的に活性なペプチド：
（ａ）
【化１】
2002530111.tif 000001
（ｂ）アミノ酸１〜２４、アミノ酸１〜２５、アミノ酸１〜２６またはアミノ酸１〜２７を含む、そのフラグメント；
（ｃ）その薬学的に受容可能な塩；あるいは
（ｄ）そのＮ−誘導体またはＣ−誘導体；
ここで：
Ｘ01は、Ｓｅｒ、ＡｌａまたはＧｌｙであり；そして
Ｘ02は、ＧｌｕまたはＡｒｇであり、
ただし、該ペプチドは、ｈＰＴＨ（１−２６）ＮＨ2、ｈＰＴＨ（１−２７）ＮＨ2またはｈＰＴＨ（１−２８）ＮＨ2ではない。
【請求項２】  本質的に以下の式からなる、生物学的に活性なペプチド：
（ａ）
【化２】
2002530111.tif 000002
（ｂ）アミノ酸１〜２４、アミノ酸１〜２５、アミノ酸１〜２６またはアミノ酸１〜２７を含む、そのフラグメント；
（ｃ）その薬学的に受容可能な塩；あるいは
（ｄ）そのＮ−誘導体またはＣ−誘導体；
ここで：
Ｘ01は、Ｓｅｒ、ＡｌａまたはＧｌｙであり；そして
Ｘ02は、ＧｌｕまたはＡｒｇであり、
ただし、該ペプチドは、ｈＰＴＨ（１−２６）ＮＨ2、ｈＰＴＨ（１−２７）ＮＨ2またはｈＰＴＨ（１−２８）ＮＨ2ではない。
【請求項３】  前記ペプチドが、放射標識、蛍光標識、生物発光標識または化学発光標識からなる群より選択される標識を用いて標識される、請求項１に記載のペプチド。
【請求項４】  前記放射標識が99mＴｃである、請求項３に記載のペプチド。
【請求項５】
【化３】
2002530111.tif 000003
である、請求項１に記載のペプチド。
【請求項６】
【化４】
2002530111.tif 000004
である、請求項１に記載のペプチド。
【請求項７】
【化５】
2002530111.tif 000005
である、請求項１に記載のペプチド。
【請求項８】
【化６】
2002530111.tif 000006
である、請求項１に記載のペプチド。
【請求項９】
【化７】
2002530111.tif 000007
である、請求項１に記載のペプチド。
【請求項１０】  以下および薬学的に受容可能なキャリアを含む、薬学的組成物：
（ａ）本質的に以下の式からなるペプチドに対して少なくとも９０％同一である、生物学的に活性なペプチド：
【化８】
2002530111.tif 000008
（ｂ）アミノ酸１〜２４、アミノ酸１〜２５、アミノ酸１〜２６またはアミノ酸１〜２７を含む、そのフラグメント；
（ｃ）その薬学的に受容可能な塩；あるいは
（ｄ）そのＮ−誘導体またはＣ−誘導体；
ここで：
Ｘ01は、Ｓｅｒ、ＡｌａまたはＧｌｙであり；そして
Ｘ02は、ＧｌｕまたはＡｒｇである。
【請求項１１】  以下および薬学的に受容可能なキャリアを含む、薬学的組成物：
（ａ）本質的に以下の式からなる、生物学的に活性なペプチド：
【化９】
2002530111.tif 000009
（ｂ）アミノ酸１〜２４、アミノ酸１〜２５、アミノ酸１〜２６またはアミノ酸１〜２７を含む、そのフラグメント；
（ｃ）その薬学的に受容可能な塩；あるいは
（ｄ）そのＮ−誘導体またはＣ−誘導体；
ここで：
Ｘ01は、Ｓｅｒ、ＡｌａまたはＧｌｙであり；そして
Ｘ02は、ＧｌｕまたはＡｒｇである。
【請求項１２】  本質的に、以下からなる群より選択されるアミノ酸配列を有する生物学的に活性なペプチドをコードするポリヌクレオチドからなる、核酸分子：
（ａ）
【化１０】
2002530111.tif 000010
；あるいは
（ｂ）アミノ酸１〜２４、アミノ酸１〜２５、アミノ酸１〜２６またはアミノ酸１〜２７を含む、そのフラグメント；
ここで：
Ｘ01は、Ｓｅｒ、ＡｌａまたはＧｌｙであり；そして
Ｘ02は、ＧｌｕまたはＡｒｇである。
【請求項１３】  以下を含む、組換えＤＮＡ分子：
（１）発現制御領域；
（２）該領域が作動可能に連結される、生物学的に活性なペプチドをコードするポリヌクレオチド配列、
であって、ここで、該ペプチドは、以下からなる群より選択される：
（ａ）
【化１１】
2002530111.tif 000011
；あるいは
（ｂ）アミノ酸１〜２４、アミノ酸１〜２５、アミノ酸１〜２６またはアミノ酸１〜２７を含む、そのフラグメント；
ここで：
Ｘ01は、Ｓｅｒ、ＡｌａまたはＧｌｙであり；そして
Ｘ02は、ＧｌｕまたはＡｒｇである。
【請求項１４】  生物学的に活性なペプチドを調製する方法であって、該方法は、請求項１３に記載の組換えＤＮＡ分子を宿主に導入する工程、および該分子の発現を引き起こす工程、を包含する、方法。
【請求項１５】  請求項１２に記載の核酸分子をベクター中に挿入する工程を包含する、組換えベクターを作製するための方法。
【請求項１６】  請求項１３に記載の組換えＤＮＡ分子であって、ここで、前記制御領域が、細菌プロモーター、ウイルスプロモーター、真菌プロモーターまたは哺乳動物プロモーターを含む、組換えＤＮＡ分子。
【請求項１７】  請求項１３に記載の組換えＤＮＡ分子を含む、宿主細胞。
【請求項１８】  原核生物細胞である、請求項１７に記載の細胞。
【請求項１９】  細菌細胞である、請求項１８に記載の細胞。
【請求項２０】  真核生物細胞である、請求項１７に記載の細胞。
【請求項２１】  酵母細胞または哺乳動物細胞である、請求項２０に記載の細胞。
【請求項２２】  骨質量における減少によって特徴付けられる哺乳動物の状態を処置するための組成物であって、該組成物は、骨質量を増大するに有効な量の生物学的に活性なペプチドおよび薬学的に受容可能なキャリアを含み、ここで、該ペプチドは、本質的に以下からなる群より選択されるメンバーに対して少なくとも９０％同一であるアミノ酸配列を含む、組成物：
（ａ）
【化１２】
2002530111.tif 000012
（ｂ）アミノ酸１〜２４、アミノ酸１〜２５、アミノ酸１〜２６またはアミノ酸１〜２７を含む、そのフラグメント；
（ｃ）その薬学的に受容可能な塩；あるいは
（ｄ）そのＮ−誘導体またはＣ−誘導体；
ここで：
Ｘ01は、Ｓｅｒ、ＡｌａまたはＧｌｙであり；そして
Ｘ02は、ＧｌｕまたはＡｒｇであり、
ただし、該ペプチドは、ｈＰＴＨ（１−２６）ＮＨ2、ｈＰＴＨ（１−２７）ＮＨ2またはｈＰＴＨ（１−２８）ＮＨ2ではない。
【請求項２３】  骨質量における減少によって特徴付けられる哺乳動物の状態を処置するための組成物であって、該組成物は、骨質量を増大するに有効な量の生物学的に活性なペプチドおよび薬学的に受容可能なキャリアを含み、ここで、該ペプチドは、本質的に以下の式からなる、組成物：
（ａ）
【化１３】
2002530111.tif 000013
（ｂ）アミノ酸１〜２４、アミノ酸１〜２５、アミノ酸１〜２６またはアミノ酸１〜２７を含む、そのフラグメント；
（ｃ）その薬学的に受容可能な塩；あるいは
（ｄ）そのＮ−誘導体またはＣ−誘導体；
ここで：
Ｘ01は、Ｓｅｒ、ＡｌａまたはＧｌｙであり；そして
Ｘ02は、ＧｌｕまたはＡｒｇであり、
ただし、該ペプチドは、ｈＰＴＨ（１−２６）ＮＨ2、ｈＰＴＨ（１−２７）ＮＨ2またはｈＰＴＨ（１−２８）ＮＨ2ではない。
【請求項２４】  骨形成、骨吸収および／または骨リモデリングの速度を決定するための組成物であって、該組成物は、患者に投与するのに適した有効量の請求項４に記載のペプチドを含み、さらにここで、該患者の骨への該ペプチドの取り込みが決定される、組成物。
【請求項２５】  請求項２３に記載の組成物であって、ここで、前記骨質量を増大するに有効な量の前記ペプチドが、患者への投与に適した該ペプチドをコードするＤＮＡおよびインビボで該ペプチドを発現することによって提供される、組成物。
【請求項２６】  前記処置されるべき状態が骨粗しょう症である、請求項２３に記載の組成物。
【請求項２７】  前記骨粗しょう症が、老年性骨粗しょう症である、請求項２６に記載の組成物。
【請求項２８】  前記骨粗しょう症が閉経後の骨粗しょう症である、請求項２６に記載の組成物。
【請求項２９】  前記骨質量を増大するに有効な量のペプチドが、約０．０１μｇ／ｋｇ／日〜約１．０μｇ／ｋｇ／日である、請求項２３に記載の組成物。
【請求項３０】  前記組成物が非経口的投与に適している、請求項２３に記載の組成物。
【請求項３１】  前記組成物が皮下的投与に適している、請求項２３に記載の組成物。
【請求項３２】  前記組成物が鼻吸入的投与に適している、請求項２３に記載の組成物。